(57)【特許請求の範囲】
【請求項１】
電柱などの地面に立設された棒体に立て掛ける梯子であって、該梯子の上部には該梯子と棒体とを固定する固定装置が設けられ、この固定装置は地上において作動せしめることが可能に構成され、また、前記固定装置を梯子に取り付ける取り付け装置が設けられ、前記固定装置として、一対の挟持体により前記棒体を挟持する固定装置を採用し、前記取り付け装置には、前記挟持体に対する該取り付け装置の角度を調整して前記梯子と該挟持体とを所定角度にする角度調整装置が設けられ、前記挟持体により前記棒体を挟持する手段として、該挟持体の基部に歯車を固着した螺杆を回動可能に架設するとともに該螺杆に該挟持体を押圧するナットを回り止め状態に設け、更に、歯車と歯合する小歯車を固着した軸を回動可能に設け、この軸を該軸に設けたプーリーに懸環される地上まで垂下したロープ等の紐体を牽引することで回動させ、この軸の回動により小歯車及び歯車を回動させて前記螺杆を回動させ、この螺杆の回動により前記ナットで前記挟持体を押圧して該挟持体を閉縮して前記棒体を挟持する手段を採用したことを特徴とする固定装置付梯子。
【請求項２】
請求項１記載の固定装置付梯子において、前記螺杆は前記ナットが螺着される左右の螺子部を有し、この螺子部の一方は右螺子に構成され、他方は左螺子に構成されていることを特徴とする固定装置付梯子。
【請求項３】
請求項１，２いずれか１項に記載の固定装置付梯子において、前記挟持体の先端側には押さえ体が設けられ、該押さえ体の内面にはゴムパットが貼着せしめられていることを特徴とする固定装置付梯子。
【請求項４】
請求項１〜３いずれか１項に記載の固定装置付梯子において、前記プーリーに懸環される紐体のはずれを防止するカバーが設けられていることを特徴とする固定装置付梯子。
【発明の詳細な説明】
【０００１】
【産業上の利用分野】
本発明は、固定装置付梯子に関するものである。
【０００２】
【従来の技術及び発明が解決しようとする課題】
従来から、電柱の上部で作業を行う場合においては、作業者は梯子を電柱に立て掛け、該梯子にのぼって作業を行う。
【０００３】
この場合、梯子をロープ等で電柱に緊縛固定することが必須の作業となるが、この緊縛固定作業時には未だ固定されていない不安定な梯子に昇らなければならず、また、作業の終了時には、梯子を固定したロープ等をほどき、何ら固定されていない不安定な梯子を降りなければならない為、非常に危険である。
【０００４】
本発明は上記の欠点を解決した固定装置付梯子を提供するものである。
【０００５】
【課題を解決するための手段】
添付図面を参照して本発明の要旨を説明する。
【０００６】
電柱１などの地面に立設された棒体に立て掛ける梯子２であって、該梯子２の上部には該梯子２と棒体とを固定する固定装置３が設けられ、この固定装置３は地上において作動せしめることが可能に構成され、また、前記固定装置３を梯子２に取り付ける取り付け装置31が設けられ、前記固定装置３として、一対の挟持体25により前記棒体を挟持する固定装置３を採用し、前記取り付け装置31には、前記挟持体25に対する該取り付け装置31の角度を調整して前記梯子２と該挟持体25とを所定角度にする角度調整装置５が設けられ、前記挟持体25により前記棒体を挟持する手段として、該挟持体25の基部に歯車21を固着した螺杆12を回動可能に架設するとともに該螺杆12に該挟持体25を押圧するナット13を回り止め状態に設け、更に、歯車21と歯合する小歯車14を固着した軸15を回動可能に設け、この軸15を該軸15に設けたプーリー16に懸環される地上まで垂下したロープ等の紐体18を牽引することで回動させ、この軸15の回動により小歯車14及び歯車21を回動させて前記螺杆12を回動させ、この螺杆12の回動により前記ナット13で前記挟持体25を押圧して該挟持体25を閉縮して前記棒体を挟持する手段を採用したことを特徴とする固定装置付梯子に係るものである。
【０００７】
また、請求項１記載の固定装置付梯子において、前記螺杆12は前記ナット13が螺着される左右の螺子部12ａ，12ｂを有し、この螺子部12ａ，12ｂの一方は右螺子に構成され、他方は左螺子に構成されていることを特徴とする固定装置付梯子に係るものである。
また、請求項１，２いずれか１項に記載の固定装置付梯子において、前記挟持体25の先端側には押さえ体22が設けられ、該押さえ体22の内面にはゴムパット30が貼着せしめられていることを特徴とする固定装置付梯子に係るものである。
【０００８】
また、請求項１〜３いずれか１項に記載の固定装置付梯子において、前記プーリー16に懸環される紐体18のはずれを防止するカバー17が設けられていることを特徴とする固定装置付梯子に係るものである。
【０００９】
【作用】
地上において固定装置３，103を作動させ、梯子２，102を該固定装置３，103により地面に立設された棒体に固定する。
【００１０】
【実施例】
図１，２，３，４，５，６は第一実施例、図７，８は第二実施例であり、以下に説明する。
【００１１】
第一実施例について説明する。
【００１２】
左右の縦桟２ｂ間に板状の横桟２ａを多段に架設した梯子２を設ける。この梯子２は縦桟２ｂが地面に対して７５°のとき、横桟２ａが水平になるように構成されたものである。
【００１３】
この梯子２の上部に、二枚の取り付け片６ａ'を突設したＬ字板体６ａと板体６ｂとを蝶板19を介して連結した取付体６を該Ｌ字板体６ａが梯子２の最上位の横桟２ａに載置される状態で設ける。この梯子２の横桟２ａは、取り付け片６ａ'に垂下された両端部に雄螺子部７ａを有する一対のＵ状杆７の空間に挿通され、よって、Ｌ字板体６ａは該横桟２ａを該Ｕ状杆７によりかかえ込む状態となる。符号７ｂはＵ状杆７の雄螺子部７ａに螺着される雌螺子である。
【００１４】
これが取り付け装置31である。
【００１５】
また、Ｌ字板体６ａには取手付ボルト杆９が貫挿され（符号８はＬ字板体６ａに固着されたナットである。）、この取手付ボルト杆９の先端部は取付体６の板体６ｂの裏面に当接するように構成されている。これが角度調節機構５である。従って、取手付ボルト杆９を回動させると該取手付ボルト杆９のＬ字板体６ａからの突出度が増し、該取手付ボルト杆９の先端が板体６ｂの裏面に当接する。また、取手付ボルト杆９を逆回動すれば該取手付ボルト杆９のＬ字板体６ａからの突出度は減少し、Ｌ字板体６ａと板体６ｂとのなす角度は小さくなる。よって、取手付ボルト杆９のＬ字板体６ａからの突出量を調整することでＬ字板体６ａと板体６ｂとの角度が調節可能となる。よって、この角度調節機構５により梯子２の立て掛け角度が種々変化した場合において、Ｌ字板体６ａを梯子２の横桟２ａに取り付けても後記の挾持体25を常に水平に擺動させることが可能となる。
【００１６】
取付体６の板体６ｂの正面には一対の台板10が所定の隙間を介存せしめてボルト11により止着されている。この両台板10の対向内側縁には軸受板28が立設され、この左右の軸受板28の対向位置には夫々軸受孔28ａが穿設されている。
【００１７】
また、この夫々の軸受板28の基部寄りには垂下片26が突設され、この夫々の垂下片26には軸受孔26ａが穿設されている。
【００１８】
また、一方の台部10の外側縁には更に軸受板29が立設され、この軸受板29には軸受孔29ａが穿設されている。
【００１９】
また、軸受板28の外側位置にして夫々の台板10には蝶板20を介して板状の挟持体25が連設され、この挟持体25の基部には孔25ａが穿設されている。
【００２０】
この孔25ａ及び前記軸受孔28ａには螺杆12が回動自在に挿入され、この螺杆12の前記軸受板28間位置には歯車21が固着されている。この螺杆12の螺子部は左右に区分され、夫々螺子部12ａ，12ｂである。この螺子部12ａ，12ｂは、一方が右螺子、他方が左螺子に構成されている。この螺子部12ａ，12ｂには夫々半円柱形状のナット13が螺着されている。該ナット13は挾持体25に設けた凹部に嵌入される半円柱形状であり、よって、該ナット13は挾持体25に対して回り止め状態となる。
【００２１】
また、挾持体25の先端側には板状の押さえ体22が設けられ、挾持体25と押さえ体22は挾持体25が押さえ体22に設けた窓部22ａに遊嵌挿通される状態で連設されている。この押さえ体22の表面にはボルト杆24が立設され、該ボルト杆24は挾持体25に形成した長穴（３つ穿設され、押さえ体22を適宜挾持体25に対して引き出し可能に構成されている。）に挿通されナット４が螺着されている。よって、押さえ体22は挾持体25に対して首振り状態となる（自動調芯）。
【００２２】
尚、押さえ体22の内面には、電柱１等との摺動を防止するためゴムパット30等、適宜な部材が貼着せしめられている。
【００２３】
また、前記垂下片26の軸受孔26ａ及び軸受板29の軸受孔29ａには軸15が回動自在に挿入され、この軸15には前記歯車21と歯合する小歯車14が固着されている。  また、前記軸15の軸受板29からの突出部にはＶプーリー16が固着されている。符号23は軸受体で、この軸受体23は軸受板29に固着され、該軸受体23にはＶプーリー16に懸環される紐体18（ロープ）が該Ｖプーリー16からはずれることを防止するカバー17が設けられている。尚、この紐体18（ロープ）は地上まで垂下せしめられている。
【００２４】
従って、Ｖプーリー16が回動すると軸15が回動し、よって、小歯車14が回動し、この小歯車14に歯合している歯車21が回動し、螺杆12がこれにともない回動する。
【００２５】
本実施例は上述のように構成したから、梯子２の最上位の横桟２ａに取付体６を付設し、取手付ボルト杆９を回動せしめ梯子２と板体６ｂとの角度を調整し、梯子２を電柱１に立て掛け、地上において紐体18を牽引し、軸15，螺杆12を回動させ、ナット13を夫々内方向に移動させ、挾持体25を縮小させて押さえ体22により電柱１を挾持し、該梯子２を電柱１に立て掛け固定する。この際、押さえ体22は挾持体25に対して首振り状態に設けられている為、それだけ確実に電柱１を挾持し得ることになる。
【００２６】
作業終了時には梯子２から地上に降り、紐体18を牽引してＶプーリー16を逆回動せしめれば押さえ体22による電柱１の挾持は開放される。
【００２７】
尚、歯車21（Ｖプーリー16）の逆回動を阻止する為、挾持体25を所定量閉縮せしめた後は、紐体18を梯子２に適宜縛着する。その他、歯車21の逆回動を阻止する為、歯車21，小歯車14をウォーム機構にする等しても良い。
【００２８】
第二実施例について説明する。
第二実施例は第一実施例の角度調整機構５，軸15，小歯車14等を採用しない簡易なタイプである。
【００２９】
左右の縦桟102ｂ間に横桟102ａを多段に架設した梯子102を設ける。
【００３０】
この梯子102の上部に、板体106ａに取付片106ｂを突設した取付体106を梯子102の最上位の横桟102ａに該取付片106ｂが載置される状態で設ける。この梯子102の横桟102ａは、取付片106ｂに垂下された両端部に雄螺子部107ａを有する一対のＵ状杆107の空間に挿通され、よって、取付体106は該横桟102ａを該Ｕ状杆107によりかかえ込む状態となる。符号107ｂはＵ状杆107の雄螺子部107ａに螺着される雌螺子である。これが取り付け装置131である。
【００３１】
取付体106の正面には軸受板128が立設され、この軸受板128には軸受孔128ａが穿設されている。
【００３２】
また、軸受板128の外側位置にして取付体106には蝶板120を介して板状の挟持体125が連設され、この挟持体125の基部には孔125ａが穿設されている。
【００３３】
この孔125ａ及び前記軸受孔128ａには螺杆112が回動自在に挿入され、また、該螺杆112には発条132が被嵌され、この発条132は軸受板128と左右の挾持体125の内面により支持されている。この螺杆112の螺子部には半円柱形状のナット113が螺着されている。該ナット113は挾持体125に設けた凹部に嵌入される半円柱形状であり、よって、該ナット113は挾持体125に対して回り止め状態となる。また、この螺杆112の螺子部と反端側の端部には挾持体125に固着した受け体133が設けられている。
【００３４】
また、挾持体125の先端には板状の押さえ体122がその基部に設けた窓部122ａに遊嵌挿通される状態で設けられている。この押さえ体122の表面にはボルト杆124が立設され、該ボルト杆124は挾持体125に挿通されナット104が螺着されている。よって、押さえ体122は挾持体125に対して首振り状態となる。
【００３５】
尚、押さえ体122の内面には、電柱101等との摺動を防止するためゴムパット130等、適宜な部材が貼着せしめられている。
【００３６】
また、螺杆112の一端部にはＶプーリー116が固着されている。符号123は軸受体で、この軸受体123にはＶプーリー116に懸環される紐体118（ロープ）が該Ｖプーリー116からはずれることを防止するカバー117が設けられている。尚、この紐体118（ロープ）は地上まで垂下せしめられている。
【００３７】
尚、符号134は、軸受体123に固着されたカバー117（軸受体123）の回り止めであって、該回り止め134は梯子102に適宜当接し、カバー117が回動することを阻止する。
【００３８】
本実施例は上述のように構成したから、梯子102の最上位の横桟102ａに取付体106を付設し、梯子102を電柱101に立て掛け、地上において紐体118を牽引し、螺杆112を回動させ、ナット113を受け体133の方向に発条132に抗して移動させ、挾持体125を縮小させて押さえ体122により電柱101を挾持し、該梯子102を電柱101に立て掛け固定する。この際、押さえ体122は挾持体125に対して首振り状態に設けられている為、それだけ確実に電柱101を挾持し得ることになる。
【００３９】
作業終了時には梯子102から地上に降り、紐体118を牽引してＶプーリー116を逆回動せしめれば押さえ体122による電柱101の挾持は開放される。
【００４０】
尚、螺杆112（Ｖプーリー116）の逆回動を防止する為、挾持体125を所定量閉縮せしめた後は、紐体118を梯子102に適宜縛着する。
【００４１】
【発明の効果】
本発明は上述のように構成したから、梯子を容易に電柱に固定することができ、作業者は安全に作業を行え、しかも、作業の効率を向上させることができる秀れた固定装置付梯子を提供することになる。
【図面の簡単な説明】
【図１】  第一実施例の使用状態を示す説明図である。
【図２】  第一実施例の要部の斜視図である。
【図３】  第一実施例の要部の斜視図である。
【図４】  第一実施例の要部の平断面図である。
【図５】  第一実施例の要部の側面図である。
【図６】  第一実施例の要部の側断面図である。
【図７】  第二実施例の要部の平断面図である。
【図８】  第二実施例の要部の側面図である。
【符号の説明】
１  電柱
２  梯子
３  固定装置
５  角度調整装置
12  螺杆
12ａ 螺子部
12ｂ 螺子部
13  ナット
14 小歯車
15 軸
16 プーリー
17 カバー
18  紐体
21 歯車
22 押さえ体
25  挾持体
31 取り付け装置
32 ゴムパット
【図１】
0003675866.tif 000002
【図２】
0003675866.tif 000003
【図３】
0003675866.tif 000004
【図４】
0003675866.tif 000005
【図５】
0003675866.tif 000006
【図６】
0003675866.tif 000007
【図７】
0003675866.tif 000008
【図８】
0003675866.tif 000009